(57)【特許請求の範囲】
【請求項１】
Ｎビット（Ｎは自然数）からなる制御入力値によって制御される制御対象と、前記制御対象から得たフィードバック値と所定の目標値とを比較して、その比較結果を基に前記制御入力値を更新する調整器と、を備えたフィードバックループの自動調整方法であって、
第１の期間では、加減量を２ｎ−１（ｎはＮ以下の自然数）の値に設定し、０に初期化されていない前記制御入力値に対応した前記フィードバック値と、前記目標値とを比較し、前記フィードバック値が前記目標値と一致するまで、もしくは前記目標値を一旦超えるまで単調増加もしくは単調減少するように、前記制御入力値を、前記加減量の加算もしくは減算により繰り返し更新し、
前記フィードバック値が前記目標値を一旦超えた場合、その後の第２の期間では、前記フィードバック値と前記目標値とを比較し、その比較結果を基に、前記制御入力値のＮビットの中で更新する必要のあるｋビット目を１でセットするか、もしくは０でクリアし、ｋビット目が最下位ビットとなるまでｋをデクリメントしながら、前記フィードバック値と目標値との比較、及び前記ｋビット目のセットもしくはクリアを繰り返して、前記制御入力値の全てのビットを確定するものであり、前記第２の期間において、ｎ＜Ｎとし、前記第１の期間で最後に更新された前記制御入力値のｎ＋１ビット目に桁上がりもしくは桁下がりが生じていた場合、その制御入力値のｎ＋１ビット目を１でセットしｎ＋１ビット目より下位の全てのビットを０でクリアすると共に、ｎ＋１ビット目を前記ｋビット目とし、前記桁上がりもしくは桁下がりが生じない場合、前記制御入力値のｎビット目を１でセットしｎビット目より下位の全てのビットを０でクリアすると共に、ｎビット目を前記ｋビット目とし、
前記第２の期間において、前記加減量が最大値２Ｎ−１である場合、前記制御入力値のＮビット目を１にセットしＮビット目より下位の全てのビットを０でクリアすると共に、Ｎビット目を前記ｋビット目とすることを特徴とする自動調整方法。
【請求項２】
前記第１の期間において、前記制御入力値が最大値もしくは最小値となっても、前記フィードバック値が単調増加もしくは単調減少して前記目標値を超えず、かつ前記目標値と一致しない場合、前記制御入力値の更新を停止することを特徴とする請求項１記載の自動調整方法。
【請求項３】
前記第１の期間もしくは前記第２の期間において、前記フィードバック値と前記目標値との比較により、前記フィードバック値が前記目標値と一致する場合、前記制御入力値の更新を停止して、その時点での前記制御入力値をその最終値とすることを特徴とする請求項１又は請求項２に記載の自動調整方法。
【請求項４】
前記制御対象は表示パネルモジュールであり、前記フィードバック値は光学測定装置により検出された前記制御対象の光学特性を含み、前記制御入力値は前記制御対象のホワイトバランスを調整する表示信号の振幅値であることを特徴とする請求項１、２、３のいずれかに記載の自動調整方法。
【発明の詳細な説明】
【技術分野】
【０００１】
本発明は、自動調整方法に関し、特に、制御入力値により制御される制御対象と、その制御入力値を更新する調整器との間に形成されたフィードバックループにおける自動調整方法に関する。
【背景技術】
【０００２】
近年、ＬＣＤや、有機エレクトロルミネッセンス素子（Ｏｒｇａｎｉｃ  Ｅｌｅｃｔｒｏ  Ｌｕｍｉｎｅｓｃｅｎｔ  Ｄｅｖｉｃｅ：以降、「有機ＥＬ素子」と略称する）素子を用いた有機ＥＬ表示装置等のディジタル表示装置の需要が高まっている。
【０００３】
上記表示装置では、その表示パネルモジュールの光源の色温度に応じてホワイトバランスを調整する必要がある。即ち、上記光源のＲ（赤）、Ｇ（青）、Ｂ（緑）の各色に対応した表示信号の振幅値を調整する必要がある。この調整は、例えば自動調整により行われる。次に、この自動調整を行うために必要な自動調整システムの概略の構成例について図面を参照して説明する。
【０００４】
図４は、従来例に係る自動調整システムを示す機能ブロック図である。図４に示すように、自動調整システムには、複数のビットからなる制御入力値の入力によって制御される制御対象１０（即ち不図示の光源を備えた表示パネルモジュール）と、制御対象１０の出力（即ち不図示の光源から発せられた光）から得たフィードバック値Ｆ（光学特性値を含む）と複数の基準値とを比較して、その比較結果を基に制御入力値Ｃを更新する調整器１２０とが設けられている。ここで、複数の基準値とは、後述する複数の加減量変更閾値、及び第１及び第２の判定閾値である。
【０００５】
また、調整器１２０には、フィードバック値Ｆ及び複数の基準値が入力されてフィードバック値Ｆと各基準値との比較を行う判定回路１２１と、その比較結果を基に上記制御入力値Ｃを更新する所定のビット演算を行い、更新された制御入力値Ｃを制御対象１０に出力する調整回路１２２とを備えている。
【０００６】
また、図４の自動調整システムの例では、制御対象１０からフィードバック値Ｆを取得するために制御対象１０の不図示の光源の光学特性値（例えば輝度、色温度等）を計測するカラーメータ３０を備えている。カラーメータ３０は、計測した上記光源の光学特性値を、所定のフォーマットのフィードバック値Ｆに変換し、調整器１２０の判定回路１２１に出力する。このように、カラーメータ３０を介して、制御対象１０と調整器１２０との間に、フィードバックループが形成されている。
【０００７】
次に、上記自動調整システムにおける従来例に係る自動調整方法について図面を参照して説明する。図５は、従来例に係る自動調整方法における時間とフィードバック値の関係図である。この図の横軸は、フィードバック値Ｆと各基準値との比較を開始させるクロックの進行に伴う時間の変化に対応し、その縦軸はフィードバック値Ｆの変化に対応している。
【０００８】
また、上記横軸に沿って、上記比較の各時点での制御対象１０に入力された制御入力値Ｃが１６進数で表記されている。各時点でのフィードバック値Ｆは、その時点での制御入力値Ｃを反映している。
【０００９】
また、上記縦軸には、上記基準値として、目標値Ｄの近傍に、フィードバック値Ｆが目標値Ｄとみなされる許容範囲の上限及び下限である第１及び第２の判定閾値が設けられている。また、他の基準値として、所定のフィードバック値Ｆの幅をもって、第１乃至第３の加減量変更閾値が設けられている。
【００１０】
図５に示すように、フィードバック値Ｆと各基準値とを判定回路１２１により比較しながら、制御入力値Ｃを、それと同じく１６進数で表記された所定の加減量の加算の繰り返しにより更新させてゆく。その際、更新された制御入力値Ｃが入力された制御対象１０から得たフィードバック値Ｆが、第１、第２、もしくは第３の各加減量変更閾値を超えるたびに、上記加減量を、調整回路１２２の演算により減少させてゆく。そして、フィードバック値Ｆが、上記第１の判定閾値と第２の判定閾値との間の値に達した場合、制御入力値Ｃの更新を停止して、この時点での制御入力値Ｃをその最終値として、制御対象１０の制御が完了する。
【００１１】
なお、本願に関連する技術文献としては、以下の特許文献が挙げられる。
【特許文献１】特開平０９−１４９３３７号公報
【発明の開示】
【発明が解決しようとする課題】
【００１２】
しかしながら、上記自動制御方法では、各加減量、各加減量変更閾値、もしくは第１及び第２の判定閾値の最適化が完全ではない場合、フィードバック値Ｆが上記第１の判定閾値と第２の判定閾値との間の値に達する時間、即ちフィードバック値Ｆの収束時間が増大する場合があった。
【００１３】
この問題に対処するためには、各加減量、各加減量変更閾値、もしくは第１及び第２の判定閾値を最適化すればよいが、それらの値は、複数の異なる制御対象１０にも適用されるように最適化される必要がある。
【００１４】
ここで、その例として、制御入力値Ｃの上記加減量の最小値が、各制御対象１０ごとに異なる場合を考える。このとき、第１及び第２の判定閾値との間の値にフィードバック値Ｆを確実に収束させるためには、各制御対象１０ごとに異なる各加減量の最小値を反映した各フィードバック値Ｆが、いずれも第１及び第２の判定閾値との間の値に含まれるように、第１及び第２の判定閾値との差を大きく最適化する必要がある。
【００１５】
ところが、この最適化の結果、制御完了時の制御入力値Ｃは、目標値Ｄを反映した本来の理想値よりも大きくはずれることになり、制御対象１０の制御の精度が低下するという問題が生じていた。
【課題を解決するための手段】
【００１６】
そこで本発明は、上記フィードバックループの自動調整方法において、制御対象の制御に要する時間を短縮し、かつ精度の向上を図るものである。
【００１７】
本発明は、Ｎビット（Ｎは自然数）からなる制御入力値によって制御される制御対象と、制御対象から得たフィードバック値と所定の目標値とを比較して、その比較結果を基に制御入力値を更新する調整器と、を備えたフィードバックループの自動調整方法であって、以下の特徴を有する。
【００１８】
即ち、第１の期間では、加減量を２ｎ−１（ｎはＮ以下の自然数）の値に設定し、０に初期化されていない前記制御入力値に対応した前記フィードバック値と、目標値とを比較し、フィードバック値が目標値と一致するまで、もしくは目標値を一旦超えるまで単調増加もしくは単調減少するように、制御入力値を、前記加減量の加算もしくは減算により繰り返し更新し、フィードバック値が目標値を一旦超えた場合、その後の第２の期間では、フィードバック値と目標値とを比較し、その比較結果を基に、制御入力値のＮビットの中で更新する必要のあるｋビット目を１でセットするか、もしくは０でクリアし、ｋビット目が最下位ビットとなるまでｋをデクリメントしながら、フィードバック値と目標値との比較、及びｋビット目のセットもしくはクリアを繰り返して、前記制御入力値の全てのビットを確定する。第２の期間において、ｎ＜Ｎとし、第１の期間で最後に更新された制御入力値のｎ＋１ビット目に桁上がりもしくは桁下がりが生じていた場合、その制御入力値のｎ＋１ビット目を１でセットしｎ＋１ビット目より下位の全てのビットを０でクリアすると共に、ｎ＋１ビット目をｋビット目とし、桁上がりもしくは桁下がりが生じない場合、制御入力値のｎビット目を１でセットしｎビット目より下位の全てのビットを０でクリアすると共に、ｎビット目をｋビット目とする。第２の期間において、前記加減量が最大値２Ｎ−１である場合、制御入力値のＮビット目を１にセットしＮビット目より下位の全てのビットを０でクリアすると共に、Ｎビット目をｋビット目とする。
【発明の効果】
【００１９】
本発明によれば、複数のビットからなる制御入力値によって制御される制御対象と、制御対象から得たフィードバック値と所定の目標値とを比較して、その比較結果を基に制御入力値を更新する調整器と、を備えたフィードバックループの自動調整方法において、制御対象の制御に要する時間及び精度の向上を図ることが可能となる。また、異なる制御対象においても、その制御入力値を確実に収束させることが可能となる。
【００２０】
また、制御対象の制御の際に最適化する必要のあるパラメータは、フィードバック値の目標値と、所定の加減量の初期値のみでよく、従来例に比してパラメータの最適化の際の作業量を軽減することができる。
【発明を実施するための最良の形態】
【００２１】
最初に、本発明の実施形態に係る自動調整システムについて図面を参照して説明する。図１は、本実施形態に係る自動調整システムを示す機能ブロック図である。図１では、図４に示したものと同様の構成要素については、同様の符号を付して説明を行うものとする。
【００２２】
図１に示すように、この自動制御システムは、図４に示した自動調整システムとは異なり、調整器２０の判定回路２１には、フィードバック値Ｆと、その目標値Ｄのみが入力されている。即ち、この判定回路２１は、従来例の判定回路１２１のように、複数の基準値である複数の加減量変更閾値、及び第１及び第２の判定閾値の入力、及びそれらの最適化を必要としない。
【００２３】
この判定回路２１は、フィードバック値Ｆと目標値Ｄとの大小を比較し、その比較結果を調整回路２２に出力する。調整回路２２は、その比較結果を基に制御入力値Ｃを更新する所定のビット演算を行い、更新された制御入力値Ｃを制御対象１０に出力する。
【００２４】
また、本実施形態の自動調整システムは、制御対象１０に入力される制御入力値Ｃの増加に対応して、制御対象１０から得たフィードバック値Ｆも増加し、制御入力値Ｃの減少に対応して、制御対象１０から得たフィードバック値Ｆも減少するという関係を満たしているものとする。その他の構成については、図４に示した従来例に係る自動調整システムと同様である。
【００２５】
また、本実施形態では、特に限定されないが、制御対象１０（表示パネルモジュール）は、例えば、有機エレクトロルミネッセンス素子（Ｏｒｇａｎｉｃ  Ｅｌｅｃｔｒｏ  Ｌｕｍｉｎｅｓｃｅｎｔ  Ｄｅｖｉｃｅ）を不図示の光源として備え、ＴＦＴ（Ｔｈｉｎ  Ｆｉｌｍ  Ｔｒａｎｓｉｓｔｏｒ）によって駆動するアクティブマトリクス型の表示パネルモジュールであるものとする。
【００２６】
次に、上記自動調整システムにおける本実施形態に係る自動調整方法について図面を参照して説明する。図２は、本実施形態に係る自動調整方法における時間とフィードバック値との関係図である。この図の横軸は、フィードバック値Ｆと各基準値との比較を開始させるクロックの進行に伴う時間の変化に対応し、その縦軸はフィードバック値Ｆの変化に対応している。また、上記横軸に沿って、上記比較の各時点での制御対象１０に入力された制御入力値Ｃが１６進数で表記されている。各時点でのフィードバック値Ｆは、その時点での制御入力値Ｃを反映している。なお、この制御入力値Ｃは、その最大値がＮビット（ただしＮは自然数）で表現可能な値であるものとする。
【００２７】
また、図３は、本実施形態に係る自動調整方法における制御入力値Ｃの更新過程を、上記時間の変化に対応させて示す図である。図３には、制御入力値Ｃの一例を、２進数表記（サフィックスがｂの表記）及び１６進数表記（サフィックスがｈの表記）により表している。
【００２８】
また、各制御入力値Ｃに併記された比較結果は、その時点での制御入力値Ｃが入力された調整対象から得たフィードバック値Ｆと目標値との比較結果を示している。
【００２９】
最初に、初期化処理として、後述する所定の加減量の初期値を設定する。この加減量の初期値は、その最大値がＮビットで表現され、それらのビットのいずれか１つのｎビット目（ただしｎはＮ以下の自然数）のみに、１がセットされた値である。即ち、加減量の初期値は、２のべき乗の値を有している。さらにいえば、この加減量の初期値は、特に限定されないが、例えば、制御対象１０の許容電圧値もしくは許容電流値に対応した値を基準にして最適化されている。以下で参照する図３では、加減量の初期値は、その一例として、１０ｈ＝（０００１００００）ｂであり、ｎ＝５であるものとして説明する。
【００３０】
次に、図２及び図３に示すように、初期サンプリング期間Ｔｓにおいて、カラーメータ３０により制御対象１０からフィードバック値Ｆの初期値を得る初期サンプリングを行う。図３では、制御入力値Ｃの初期値は、その一例として、４８ｈ、即ち（０１００１０００）ｂでサンプリングされているものとして説明する。
【００３１】
次に、第１の調整期間Ｔｉにおいて初期調整処理を行う。初期調整処理では、まず、初期サンプリングされたフィードバック値Ｆの初期値と目標値Ｄとを判定回路２１により比較する。そして、その結果、フィードバック値Ｆが目標値Ｄ以下である場合（即ちＦ≦Ｄ）、フィードバック値Ｆが目標値Ｄを一旦超えるまで単調増加するように、制御入力値Ｃに対して所定の加減量の初期値を繰り返し加算することにより、制御入力値Ｃを更新する。逆に、フィードバック値Ｆが目標値Ｄより大きい場合（即ちＦ＞Ｄ）、フィードバック値Ｆが目標値Ｄを一旦超えるまで単調減少するように、制御入力値Ｃに対して所定の加減量の初期値を繰り返し減算することにより、制御入力値Ｃを更新する。制御入力値Ｃの更新ごとに、フィードバック値Ｆと目標値Ｄとの比較は繰り返される。
【００３２】
この初期調整処理では、所定の加減量の初期値の加算もしくは減算により、Ｎビットで表される制御入力値Ｃが最大値（即ち１０進数の２Ｎ−１の値）もしくは最小値（即ち０）に至るまで更新されても、その制御入力値Ｃが入力された制御対象１０から得たフィードバック値Ｆが単調増加もしくは単調減少して目標値Ｄを超えず、かつ目標値Ｄと一致もしない場合、その時点で、エラー処理として初期調整処理が停止される。
【００３３】
また、この初期調整処理の上記以外の例として、フィードバック値Ｆと目標値Ｄとが一致した場合（即ちＦ＝Ｄ）に初期調整処理を停止するステップが挿入されてもよい。この場合、初期調整処理の停止後、その時点での制御入力値Ｃが最終値として出力される。なお、以降の説明では、Ｆ＝Ｄの場合に初期調整処理を停止するステップは挿入されていないものとする。
【００３４】
図３の例では、加減量の初期値は１０ｈ＝（０００１００００）ｂであるため、制御入力値Ｃの初期値４８ｈ＝（０１００１０００）ｂは、上記加減量の初期値の加算の繰り返しにより、フィードバック値Ｆが目標値Ｄを一旦超えるときの値、即ち７８ｈ＝（０１１１１０００）ｂに至るまで更新される。
【００３５】
次に、第２の調整期間Ｔｃにおいて、第１及び第２の調整処理を行う。まず、第１の調整処理では、制御入力値Ｃの最後の更新時の桁上がりもしくは桁下がりの有無に応じて、制御入力値Ｃの複数のビットのうち更新する必要の無いビットを確定する処理を行う。上記ビットの確定の際には、調整回路２２において、制御入力値Ｃに対して次のようなビット演算が行われる。
【００３６】
即ち、初期調整処理において最後に更新された制御入力値Ｃにおいて、ｎ＋１ビット目に桁上がりもしくは桁下がりが生じていたか否かを判定する。その結果、ｎ＋１ビット目に桁上がりもしくは桁下がりが生じていた場合、ｎ＋１ビット目より下位の全てのビットを０でクリアすると共に、制御入力値Ｃのｎ＋１ビット目をｍビット目（ただしｍはＮ以下の自然数）とする。逆に、ｎ＋１ビット目に桁上がりもしくは桁下がりが生じない場合、ｎビット目より下位の全てのビットを０でクリアすると共に、制御入力値Ｃのｎビット目をｍビット目とする。
【００３７】
図３の例では、７８ｈ＝（０１１１１０００）ｂのｎ＋１ビット目（即ちｎ＋１＝６ビット目）には、加減量の初期値の最後の加算の際の桁上がりが生じていないため、ｎビット目よりも下位の全てのビットが０でクリアされると共に、ｎビット目がｍビット目となる。
【００３８】
なお、上記第１の調整処理では、Ｎビットで表される所定の加減量の初期値が、その最大値（即ち２Ｎ−１の値）である場合、上述した制御入力値Ｃの上記桁上がりもしくは桁下がりの有無の判定は行われない。この場合、ｎ＝Ｎとして、制御入力値Ｃのｎビット目より下位の全てのビットを０でクリアすると共に、制御入力値Ｃのｎビット目をｍビット目とする。
【００３９】
こうして、ｍビット目より上位のビットが、制御入力値Ｃの複数のビットのうち更新される必要の無いビットとして確定される。図３の例では、制御入力値Ｃの上位３ビットの値が確定される。
【００４０】
次に、第２の調整処理を行う。第２の調整処理では、ｍビット目以下の全てのビットを、更新される必要のあるビットとして、フィードバック値Ｆと目標値Ｄとの比較結果を基に確定する。上記ビットの確定の際には、調整回路２２において、制御入力値Ｃに対して次のようなビット演算が行われる。
【００４１】
即ち、ｋ＝ｍ（ただしｋはＮ以下の自然数）として、ｋビット目を１でセットすることにより、制御入力値Ｃを更新する。この更新は、言い換えれば、１０進数の２ｋ−１の値を加減量とした加算により、制御入力値Ｃを更新することと等価である。
【００４２】
そして、その更新された制御入力値Ｃが入力された制御対象から得たフィードバック値Ｆと目標値Ｄとの比較を行う。その結果、フィードバック値Ｆが目標値Ｄ以下である場合（即ちＦ≦Ｄ）、ｋビット目の値を１で保持する。逆に、フィードバック値Ｆが目標値Ｄより大きい場合（即ちＦ＞Ｄ）、ｋビット目の値を０でクリアする。
【００４３】
さらに、ｋビット目が最下位ビットとなるまでｋをデクリメントしながら、上記フィードバック値Ｆと目標値Ｄとの比較、及びｋビット目の保持もしくはクリアを繰り返す。こうして、Ｎビットの制御入力値Ｃの全てのビットが確定される。このときのＮビットで表される値が、最終的な調整が完了した制御入力値Ｃとなる。この制御入力値Ｃが入力された制御入力値Ｃから得たフィードバック値Ｆは目標値Ｄと一致するか、もしくは、目標値Ｄに近似した値となる。
【００４４】
図３の例では、まず、ｋ＝ｍ＝５であるため、ｋ＝５ビット目が１でセットされ、７０ｈ＝（０１１１００００）ｂとなる。この時点でのフィードバック値Ｆと目標値との比較では、Ｆ＞Ｄであるため、５ビット目を０でクリアする。この時点の制御入力値Ｃは、６０ｈ＝（０１１０００００）ｂとなる。
【００４５】
その後、ｋがデクリメントされて、ｋ＝４ビット目が１でセットされ、６０ｈ＝（０１１０００００）ｂが６８ｈ＝（０１１０１０００）ｂとなる。この時点でのフィードバック値Ｆと目標値との比較では、Ｆ≦Ｄであるため、４ビット目を１で保持する。
【００４６】
その後、順次ｋがデクリメントされて、上記と同様の処理が行われた後、ｋ＝２ビット目が１でセットされ、６Ｃｈ＝（０１１０１１００）ｂが６Ｅｈ＝（０１１０１１１０）ｂとなる。この時点でのフィードバック値Ｆと目標値との比較では、Ｆ＝ＤであるがＦ≦Ｄを満たすため、２ビット目を１で保持する。
【００４７】
更に、ｋがデクリメントされて、ｋ＝１ビット目が１でセットされ、６Ｅｈ＝（０１１０１１１０）ｂが６Ｆｈ＝（０１１０１１１１）ｂとなる。この時点でのフィードバック値Ｆと目標値との比較では、Ｆ＞Ｄとなるため、６Ｆｈ＝（０１１０１１１１）ｂにおいて、１でセットされた１ビット目の値を０でクリアする。即ち、更新される必要のあるビットが最下位ビットに至るまで確定し、制御入力値Ｃの最終値（即ち最終的に調整が完了した値）として、６Ｅｈ＝（０１１０１１１０）ｂが確定する。
【００４８】
このとき、さらにｋをデクリメントしてｋ＝０とし、これを終了条件として、制御入力値Ｃの更新は終了する。この例では、制御入力値Ｃの最終値が入力された制御入力値Ｃから得たフィードバック値Ｆと目標値Ｄとが一致している。
【００４９】
なお、上記第２の調整処理では、ｋがｋ＝１までデクリメントされる前に、即ち最下位ビットの更新よりも前に、フィードバック値Ｆが目標値Ｄと一致した場合（即ちＦ＝Ｄ）、上記処理を終了し、その時点でのＮビットで表される値を、制御入力値Ｃの最終値としてもよい。
【００５０】
即ち、図３の例で説明すると、ｋ＝２ビット目が１でセットされ、６Ｃｈ＝（０１１０１１００）ｂが６Ｅｈ＝（０１１０１１１０）ｂに更新された時点で、フィードバック値Ｆは目標値と一致（Ｆ＝Ｄ）するため、ここで調整を終了し、その時点でのＮビットで表される値を、制御入力値Ｃの最終値としてもよい。
【００５１】
上述したように、Ｎビットの制御入力値Ｃは、その調整の際に、フィードバック値Ｆが目標値Ｄと一致もしくは近似するように、確実に、上位ビットから最下位ビットに至るまで、その値が確定される（エラー処理を除く）。即ち、従来例とは異なり、制御入力値Ｃを確実に収束させることが可能となる。
【００５２】
また、収束した制御入力値Ｃは、その上位ビットから最下位ビットに至るまでの各ビットの値が反映されている。そのため、制御対象１０の制御の精度を従来例に比して向上させることが可能となる。
【００５３】
また、上記第１及び第２の調整処理の前に、上記初期調整処理として、フィードバック値Ｆを単調増加もしくは単調減少させて、その増加方向もしくは減少方向で、目標値Ｄを一旦超えさせることにより、制御対象１０の制御に要する時間Ｔ１を従来例の自動調整方法における制御に要する時間Ｔ２に比して短縮することが可能となる。
【００５４】
また、制御対象１０の制御の際に最適化する必要のあるパラメータは、フィードバック値Ｆの目標値Ｄと、所定の加減量（初期値）のみでよく、従来例に比してパラメータの最適化の際の作業量を軽減することができる。
【００５５】
なお、上述した実施形態では、制御対象１０（表示パネルモジュール）は、例えば有機エレクトロルミネッセンス素子を不図示の光源として備え、ＴＦＴによって駆動するアクティブマトリクス型の表示パネルモジュールを含むものとしたが、本発明はこれに限定されない。即ち、発明は、上記以外の表示パネルモジュール、例えばＬＣＤパネルモジュールを制御対象１０とした場合についても適用される。
【００５６】
さらにいえば、上述した実施形態の制御対象１０は、所定の条件を満たすものであれば、上記表示パネルモジュール以外のものであってもよい。その条件とは、制御対象１０に入力される制御入力値Ｃの増加に対応して、制御対象１０から得たフィードバック値Ｆも増加し、制御入力値Ｃの減少に対応して、制御対象１０から得たフィードバック値Ｆも減少するという関係を満たすことである。この場合、制御入力値Ｃ、フィードバック値Ｆ、及び目標値Ｄは、それぞれ、制御対象１０に対応した所定の物理量もしくは無次元量となる。また、カラーメータ３０は必ずしも必要とされない。即ち、自動調整システムには、必要に応じて、制御対象１０から所定のフィードバック値を所得する機能を有した装置、例えば測定装置や変換装置等が設けられる。
【図面の簡単な説明】
【００５７】
【図１】本発明の実施形態に係る自動調整システムを示す機能ブロック図である。
【図２】本発明の実施形態に係る自動調整方法における時間とフィードバック値の関係図である。
【図３】本発明の実施形態に係る自動調整方法における制御入力値の更新過程を示す図である。
【図４】従来例に係る自動調整システムを示す機能ブロック図である。
【図５】従来例に係る自動調整方法における時間とフィードバック値の関係図である。
【符号の説明】
【００５８】
１０  制御対象（表示パネルモジュール）
２０，１２０  調整器    ２１，１２１  判定回路    ２２，１２２  調整回路
３０  カラーメータ
Ｃ  制御入力値
Ｄ  目標値
Ｆ  フィードバック値
【図１】
0005592592.tif 000002
【図２】
0005592592.tif 000003
【図３】
0005592592.tif 000004
【図４】
0005592592.tif 000005
【図５】
0005592592.tif 000006